Podtech/llm-jp-corpus-v4-ja_patent huggingface dataset:
(57)【要約】【課題】どのようなゴルフスイング、パッティングストロークでも、目標に対しての正確なインパクトを体に記憶させる練習器具を提供する。【解決手段】平行する２本のレール（６）に、バネやシリンダー等を連結させたスライドボックス（２）を取付け、それをパターヘッドやアイアンヘッドで押してスライドさせることにより、目標に対してスクエアな、正確なインパクトを体に記憶させることが出来る。【選択図】図５
0003171297.tif 000002
【実用新案登録請求の範囲】
【請求項１】
２本の平行するレールに、金属や樹脂等で作られた箱を取付け、その箱にバネやシリンダー等を取付けることにより、箱をパターヘッドでスライドさせると、その箱が自動的に戻ってくるということを特徴とするパッティング練習器具。
【請求項２】
前記の箱の上角に乗せられる、Ｌ字型の部品を取付けた、より幅の狭い箱を連結させることにより、前記の方法で容易にアイアンでも練習出来ることを特徴としたアイアン練習器具。
【考案の詳細な説明】
【技術分野】
【０００１】本考案は、ゴルフショットのインパクト、及びパッティングの正確なインパクトを体に記憶させる練習器具に関するものである。
【背景技術】
【０００２】様々なスポーツがある中、特にゴルフに関しては、パターマットをはじめ、多種多様な練習器具がある。それらは、体に装着して実際に球を打ったり、ヘッドの軌跡や軌道を確認しながら練習するものが広く普及している。
【考案の概要】
【考案が解決しようとする課題】
【０００３】従来の練習器具は、繰り返し球を打ったり、ヘッドやシャフトの正しい軌道を習得する為のものである。しかし、人間の体調は日々変わるもので、それを実際にコースで実戦しようとしても、なかなか思うような軌道でショット、パッティングストロークは出来ないものである。
【課題を解決するための手段】
【０００４】そこで本考案にあっては、上記課題を解決するため、インパクトに重点をおくことにした。ゴルフというスポーツは、いかに目標に対してボールを打てるか、いかに目標に対してボールを止めるかというスポーツである。それが出来れば、かなりスコアは良くなる。プロはある程度狙った目標にボールを打つこと、止めることが出来る。しかし、誰一人として同じスイングをする人はいない。体型も違えば、筋力も違うからである。ただ、どのようなスイングをしても、インパクト時のクラブフェースの向きは、目標に対してスクエアである。そう、インパクト時にクラブフェースの向きが目標にスクエアであれば、どのようなスイングであれ、ボールは目標に向かって飛び、転がっていくのである。この練習器具は、ボールがクラブと接触してからの１０ｃｍ程、クラブ、及びパターフェースをスクエアな状態で真っ直ぐに動かすことを体に覚えさせ、プロのようなスクエアなインパクトを実現させるべく、考案したものである。
【考案の効果】
【０００５】この練習器具で練習することにより、どのようなスイングをしても、インパクトから１０ｃｍ程クラブフェースを目標に対して真っ直ぐに動かすことを体に覚えさせているので、ショットは曲がりずらくなり、パッティング、特にショートパットに関しては、かなりの確率でカップインする可能性が高くなる。
【考案を実施するための形態】
【０００６】以下、本考案の実施の形態について、図面を参照しつつ詳細に説明すれば、図１は、パター（３）で練習する際の使用前の図を示し、図２は、使用中の図である。図６は本練習器具、使用中の断面図であるが、本体（１）にはレール（６）が取付けられており、これはスライドボックス（２）にも取付けられている。よって、スライドボックス（２）は平行にしか動かず、スクエアな状態での、真っ直ぐなストロークを体感出来る。
また、本体（１）にはバネやシリンダー等（７）が取付けられているので、パター（３）を戻すと同時にスライドボックス（２）も図５の状態に戻り、繰り返し練習出来る。
【０００７】図３は、アイアン（５）で練習する際の使用前の図を示し、図４は使用中の図を示す。スライドボックス（２）の高さは、その寸法をパター（３）のフェース面の高さに合わせているので問題ないが、アイアン（５）の場合、ネック部分が本体（１）に当たってしまう為、アイアン用スライドボックス（４）が必要となる。これは、幅を狭くすることで、ネック部分を気にすることなく、アイアン（５）のフェース面だけで押していくことが出来る。また、スライドボックス（２）の上角に乗せて使用する形状になっており、面倒な接続作業をすることなく、容易にパター（３）やアイアン（５）の練習をすることが出来る。
【０００８】本考案にかかる練習器具の使用に際しては、パター（３）の場合はフェース面をスライドボックス（２）に当て、アイアン（５）の場合はフェース面の下、いわゆるリーディングエッジ部分を、スライドボックス（２）に接続させたアイアン用スライドボックス（４）に当て、ゆっくりとそれを押しながらスライドさせていく。１０ｃｍ程スライドさせた所でそれが止まるようになっていて、そこでしばらく静止させる。力を抜くと、バネやシリンダー等（７）の力で使用前の状態に戻るので、これを繰り返し行う。バネやシリンダー等（７）で負荷もかかっている為、スライドさせている時、そして静止させている間は適度な力をいれておかねばならず、この動作により、目標にスクエアな状態での体、手首等のインパクトの形を記憶させることが出来るのである。トッププロの間でも、数分かけてゆっくりスイングする練習が知られているが、これは正しい体の使い方、フェース面のコントロール等を体に覚えさせる為の練習方法である。この練習方法の延長でこの練習器具を使用すれば、さらに効果は上がる。
【図面の簡単な説明】
【０００９】
【図１】本考案で、パターを使用する際の使用前の形状である。
【図２】本考案で、パターを使用する際の使用中の形状である。
【図３】本考案で、アイアンを使用する際の使用前の形状である。
【図４】本考案で、アイアンを使用する際の使用中の形状である。
【図５】〔図１〕の断面図である。
【図６】〔図２〕の断面図である。
【符号の説明】
【００１０】  １  本体
２  スライドボックス
３  パター
４  アイアン用スライドボックス
５  アイアン
６  レール
７  バネ、シリンダー等
【図１】
0003171297.tif 000003
【図２】
0003171297.tif 000004
【図３】
0003171297.tif 000005
【図４】
0003171297.tif 000006
【図５】
0003171297.tif 000007
【図６】
0003171297.tif 000008
【手続補正書】
【提出日】平成23年8月8日(2011.8.8)
【手続補正１】
【補正対象書類名】実用新案登録請求の範囲
【補正対象項目名】請求項２
【補正方法】変更
【補正の内容】
【請求項２】
前記の箱の上角に乗せられる、Ｌ字型の部品を取付けた、より幅の狭い箱を連結させたことを特徴とした請求項１に記載のパッティング練習器具。
(57)【要約】      （修正有）【課題】口腔内切削器具の先端部に微小撮影装置を装備させることにより、治療視野をモニター画面に拡大した状態で映し出し、肉眼で行う術式をより細部にわたり認識することを可能にし、その上で確実な切削による除去施術を可能にすることを特徴とする歯科医療切削機器を提供する。【解決手段】口腔内切削器具の先端部に微小撮影装置を装備させることにより、削治療時に治療視野をモニター画面に拡大した状態で映し出すことを特徴とする。【選択図】図２
0003171295.tif 000002
【実用新案登録請求の範囲】
【請求項１】
口腔内切削器具の先端部に微小撮影装置を装備させることにより、切削治療時に治療視野をモニター画面に拡大した状態で映し出すことを特徴する歯科医療切削機器
【請求項２】
従来の口腔内切削器具の先端部に微小撮影装置を外部装備させることにより治療視野をモニター画面に拡大した状態で映し出すことを特徴する歯科医療切削機器付属部品
【考案の詳細な説明】
【考案の詳細な説明】
【技術分野】
【０００１】この考案は、口腔内切削器具の先端部に微小撮影装置を装備させることにより、治療視野をモニター画面に拡大した状態で映し出し、肉眼で行う術式より細部にわたり確実な切削施術を可能にする歯科医療切削機器である。
【考案が解決しようとする課題】
【０００２】従来、口腔内治療における歯科医療切削機器は、患部を肉眼で目視し、その目視のみの視覚情報によって歯科医師は、口腔内治療を行っていたため、視覚が届かなかった箇所の疾病は、放置されたままであったため２次的な疾病を引き起こす要因になっていた。また高齢な歯科医師は視覚の衰えにより、適切な治療が困難になっていた。
【課題を解決するための手段】
【０００３】本考案は、口腔内切削器具の先端部に微小撮影装置を装備させることにより、治療視野をモニター画面に拡大した状態で映し出し、肉眼で行う術式より細部にわたり、確実な切削施術を可能にする歯科医療切削機器である。
【考案の効果】
【０００４】本考案は、、口腔内切削器具の先端部に微小撮影装置を装備させることにより、治療視野をモニター画面に拡大した状態で映し出し、肉眼で行う術式をより細部にわたり認識することを可能にし、その上で確実な切削による除去施術を可能にすることを特徴とする歯科医療切削機器である
【図面の簡単な説明】
【図１】本考案の正面図である。
【図２】本考案の側面図である。
【図３】本考案の外部装着部品の側面図である。
【図４】本考案の外部装着部品を装着した正面図である。
【図５】本考案の外部装着部品を装着した側面図である。
【符号の説明】１  歯科用切削機器本体
２  歯科用切削機器のライト
３  歯科用切削機器の撮影装置
４  切削用具
【図１】
0003171295.tif 000003
【図２】
0003171295.tif 000004
【図３】
0003171295.tif 000005
【図４】
0003171295.tif 000006
【図５】
0003171295.tif 000007
【手続補正書】
【提出日】平成23年8月5日(2011.8.5)
【手続補正１】
【補正対象書類名】実用新案登録請求の範囲
【補正対象項目名】全文
【補正方法】変更
【補正の内容】
【実用新案登録請求の範囲】
【請求項１】
口腔内切削器具の先端部に微小撮影装置を装備させることにより、切削治療時に治療視野をモニター画面に拡大した状態で映し出すことを特徴する歯科医療切削機器。
【手続補正２】
【補正対象書類名】明細書
【補正対象項目名】全文
【補正方法】変更
【補正の内容】
【考案の詳細な説明】
【技術分野】
【０００１】この考案は、口腔内切削器具の先端部に微小撮影装置を装備させることにより、治療視野をモニター画面に拡大した状態で映し出し、肉眼で行う術式より細部にわたり確実な切削施術を可能にする歯科医療切削機器である。
【考案が解決しようとする課題】
【０００２】従来、口腔内治療における歯科医療切削機器は、患部を肉眼で目視し、その目視のみの視覚情報によって歯科医師は、口腔内治療を行っていたため、視覚が届かなかった箇所の疾病は、放置されたままであったため２次的な疾病を引き起こす要因になっていた。また高齢な歯科医師は視覚の衰えにより、適切な治療が困難になっていた。
【課題を解決するための手段】
【０００３】本考案は、口腔内切削器具の先端部に微小撮影装置を装備させることにより、治療視野をモニター画面に拡大した状態で映し出し、肉眼で行う術式より細部にわたり、確実な切削施術を可能にする歯科医療切削機器である。
【考案の効果】
【０００４】本考案は、、口腔内切削器具の先端部に微小撮影装置を装備させることにり、治療視野をモニター画面に拡大した状態で映し出し、肉眼で行う術式をより細部にわたり認識することを可能にし、その上で確実な切削による除去施術を可能にすることを特徴とする歯科医療切削機器である
【図面の簡単な説明】
【０００５】
【図１】本考案の正面図である。
【図２】本考案の側面図である。
【符号の説明】
【０００６】１  歯科用切削機器本体
２  歯科用切削機器のライト
３  歯科用切削機器の撮影装置
４  切削用具
【手続補正３】
【補正対象書類名】図面
【補正対象項目名】全図
【補正方法】変更
【補正の内容】
【図１】
0003171295.tif 000008
【図２】
0003171295.tif 000009
(57)【要約】      （修正有）【課題】“埋め込みアンカーボルト”を、高い技術や経費をかけずに、簡単にすばやく設置出来る自在アンカーセットを提供する。【解決手段】アンカーガイドフレーム３は、スライドさせながら長さを調整し、交差する部分でガイド支持ボルト８を使ってアンカーガイドフレーム３の垂れによる誤差が極力起きないように固定する。この時、反力プレート６より６０ｍｍ以上のかぶり厚を保持できるようにアンカー固定用アジャスター２・４で調整を行う。その後、アンカーボルト１を寸法通りに固定していくが、設置する場所は砕石などが敷かれて不陸な場合が多いので、アンカーボルト１が垂直になるように現場に合わせて、ナット２・４・５・７で調整を行う。アンカーガイドフレーム３が水平であれば、アンカーボルト１は垂直になっているので、アンカーガイドフレーム３に水平器を乗せ調整を行う。【選択図】図４
0003171292.tif 000002
【実用新案登録請求の範囲】
【請求項１】
アンカーボルトをナット等のアジャスターで、定めた角度を保持しつつ適当な位置に固定できるようにし、設置時の安定性と引き抜き強度を向上させることを特徴とする自在アンカーセット。
【考案の詳細な説明】
【技術分野】
【０００１】
この考案は、構造物や建築物の基礎工事において、アンカーボルト間の位置を正確に固定できる保持具である。
【背景技術】
【０００２】
建物の基礎を作るときにはアンカーボルトを正確な位置に設置してコンクリートで固定していますが、コンクリート打設時にアンカーボルトの設置角度（通常は垂直）や設置位置がずれ易く、正確に設置するにはアングル等で固定するなど、大掛かりな施工方法をとらざるを得ず、建物周辺に設置される設備機器の基礎には、埋め込みアンカーで施工がされていないのが現実です。
【０００３】
ほとんどのケースが、設置予定箇所にコンクリートの基礎を作り、コンクリートの強度が高まるのを待って、“あと施工アンカー”をアンカーボルトとして施工をしています。
この工法は、確かに正確な位置にアンカーボルトを設置できるという利点は有りますが、
有資格者による施工が義務付けられています。しかし、残念なことに、現場ではその事すら知らずに、施工がまかり通っています。
【０００４】
“あと施工アンカー”は、適正な施工の下で効果を発揮しますが、無資格者による施工が行われた場合は、その効果に雲泥の差が出てしまう。一つ間違えると危険な施工方法でした。
【考案の概要】
【考案が解決しようとする課題】
【０００５】
これには次のような欠点があった。
“埋め込みアンカーボルト”が“あと施工アンカーボルト”よりも強度が維持しやすくコンクリートの中性化などにも安心できる事は、周知の事実で有ったが、正確にアンカーボルトを固定して施工する事は、高い技術と時間と費用を要したので、簡易に工事が行える“あと施工アンカーボルト”で工事を行っていた結果、東日本大震災において多くの設備機器等が、“あと施工アンカーボルト”が基礎から抜けて倒壊してしまいました。
【０００６】
本考案は、“埋め込みアンカーボルト”を、高い技術や経費をかけずに、簡単にすばやく設置出来る事を課題とする。
【課題を解決するための手段】
【０００７】
上記の課題を解決するために、技術を要せず素早く、アンカーボルトを定位置に固定できるこの考案を使えば、上記の欠点は解消できる。
【考案の効果】
【０００８】
アンカーボルトの移動を拘束した状態でコンクリートを打つので、コンクリート打設時にアンカーボルトにずれや倒れ等が生じることが無いので、健全な基礎を造ることができます。
【図面の簡単な説明】
【０００９】
【図１】図２におけるＡ−Ａ線断面図
【図２】本考案の実施形態を示す平面図
【図３】コンクリート埋設時の断面図
【図４】アンカーボルトが４本の場合の鳥瞰図
【図５】アンカーボルトが５本の場合の鳥瞰図
【図６】アンカーボルトが５本の場合の鳥瞰図
【考案を実施するための形態】
【００１０】
以下、本考案を実施の形態を図１〜図６に基づいて説明する。
【００１１】
図４から図６は、それぞれアンカーが３本、４本、５本の場合を示しており、基本となる図４を中心に説明いたします。先ず、アンカーボルトの設置位置に合わせて、アンカーガイドフレーム３を組み立てます。
【００１２】
アンカーガイドフレーム３は、スライドさせながら長さを調整し、交差する部分でガイド支持ボルト８を使ってアンカーガイドフレーム３の垂れによる誤差が極力起きないように固定します。この時、反力プレート６より60mm以上のかぶり厚を保持できるようにアンカー固定用アジャスター２・４で調整を行います。
【００１３】
その後、アンカーボルト１を寸法通りに固定していきますが、設置する場所は砕石などが敷かれて不陸な場合が多いので、アンカーボルト１が垂直になるように現場に合わせて、ナット２・４・５・７で調整を行います。
【００１４】
アンカーガイドフレーム３が水平であれば、アンカーボルト１は垂直になっていますから、アンカーガイドフレーム３に水平器を乗せ調整を行います。
【００１５】
反力プレート６は、自在アンカーセットを安定させるだけでなく、引抜に対してせん断抵抗力を見込むものです。アンカーとコンクリートの付着のみの強度を向上させる働きがあり、これにより、強固なアンカーボルト設置が可能になります。
【００１６】
以上のように、本実施形態によれば、アンカーボルトにコンクリートを付着させるのみならず、せん断抵抗も見込まれる強固な基礎を簡単に製作することが出来、建築業界全体の品質向上につながるものです。
【符号の説明】
【００１７】
１    アンカーボルト
２    アンカー固定用アジャスター（上）
３    アンカーガイドフレーム
４    アンカー固定用アジャスター（下）
５    反力プレート固定用ナット（上）
６    反力プレート
７    反力プレート固定用ナット（上）
８    ガイド支持ボルト
９    コンクリート
【図１】
0003171292.tif 000003
【図２】
0003171292.tif 000004
【図３】
0003171292.tif 000005
【図４】
0003171292.tif 000006
【図５】
0003171292.tif 000007
【図６】
0003171292.tif 000008
【手続補正書】
【提出日】平成23年8月19日(2011.8.19)
【手続補正１】
【補正対象書類名】実用新案登録請求の範囲
【補正対象項目名】全文
【補正方法】変更
【補正の内容】
【実用新案登録請求の範囲】
【請求項１】
ナット等のアジャスターとガイドフレームを使用することで、アンカーボルトを定めた角度を保持しつつ正確な位置に設置できるようにし、ボルト下部に反力プレートを設ける事により設置時の安定性の向上とコンクリートが固まった後のアンカーボルトの引き抜き強度を向上させることを特徴とする自在アンカーセット。
(57)【要約】      （修正有） 【課題】食材を仕分けることのできる高さのある仕切りを数字或いはアルファベットの記号形にした識別体を設けた食器皿を提供する。【解決手段】食器皿４は縦（紙面の上下方向）１７ｃｍ、横（紙面の左右方向２５ｃｍ、淵３の高さを１、８ｃｍとし、厚みは４、５ｍｍとした。そして識別体（仕切り部）２は数字の１をかたどったものとしその高さを８ｍｍとした。この識別体（仕切り部）２を、食器皿４の左右方向の略中央部に形成し惣菜を収容する収容部を２分した。又、材質は陶器で作製した。識別体２は、食材を仕分ける高さのある数字やアルファベットにより形成されており上に２品目以上の食材・食品を盛り付けて食事する。【選択図】図１
0003171264.tif 000002
【実用新案登録請求の範囲】
【請求項１】
食器用の皿であって、皿の底面１の外周に淵３を有し、この皿の底面１と淵３とで飲食物の収容部を形成し、底面１の適宜の位置に識別体２を設けたことを特徴とする食器皿。
【考案の詳細な説明】
【技術分野】
【０００１】
仕切りつき食器皿に関する
【背景技術】
【０００２】
仕切りのある、陶磁器製もしくはガラス製、琺瑯製、プラスチック等食用皿として可能な素材を用いて製造された食器皿が知られている。
【考案の概要】
【考案が解決しようとする課題】
【０００３】
今までに食器類として区画ごとに違う惣菜を入れるための仕切り皿はあったが、その仕切りは縦に縦断、若しくは横に横断して入っていた。それは食材を盛り付ける際の単なる仕分けの役割しかなかった。また皿に仕切りが入ることで、それぞれの区画はできるが、全体的に惣菜の収容面積が狭くなり、皿の表面空間を活かせないものとなっていた。
【課題を解決するための手段】
【０００４】
この考案は食器用の皿であって、底の底面１の外周に淵３を有し、この皿の底面１と淵３とで飲食物の収容部を形成し、底面１の略中央部に識別体２を設けたことを特徴とする食器皿である。
この課題を解決するために、その食材を仕分けることのできる高さのある仕切りを数字或いはアルファベットの記号形にした識別体を設けた。
【考案の効果】
【０００５】
食材を仕分けることのできる仕切りを数字或いはアルファベットの識別体とすることによりその仕切りはただの仕切りではなく視覚的な識別機能を持つようになる。また使用者にとっては、単なる縦若しくは横に横断した区画にきっちりと分けられた仕切りよりも、数字やアルファベットに対して、より個人的で自由な発想により惣菜を盛り付ける事ができる。この識別体仕切りとする数字或はアルファベット記号）の上下に空間を空けることで、さらに皿全体の空間を窮屈にすることがなく、広く全体を一枚のプレートとして使える。
【図面の簡単な説明】
【０００６】
【図１】本発明の平面図を示す。
【図２】本発明の正面図を示す。
【図３】（１）はA-A線切断部端面図を、（２）はB-B線切断部端面図を、（３）はC-C線切断部端面図示す。
【図４】本発明の底面図を示す。
【考案を実施するための形態】
【０００７】
図１に基づいて本考案を説明する。底面1に、識別体（仕切り部）２を上方に突起として形状させこれを淵３が取り囲む、全体の形は四角形又は丸みを帯びた丸型の形状を含む。図２より正面からみると、この形状は全体としての食器皿４を、淵３が取り囲み、仕切りとなる識別体（仕切り部）２は、淵３よりも低いが食材を仕分ける機能の高さはある。図３の（１）はA-A線切断部端面図を、（２）はB-B線切断部端面図を、（３）はC-C線切断部端面図示す。食器皿４の裏面は皿形状により、台座を含む場合と平面の場合とがある。実地例では裏面は平面となっており、図４は食器皿４の裏面の形状を表している。
【実施例】
【０００８】
本発明の実施例として、食器皿４は縦（紙面の上下方向）１７ｃｍ、横（紙面の左右方向２５ｃｍ、淵３の高さを１、８ｃｍとし、厚みは４、５ｍｍとした。そして識別体（仕切り部）２は数字の１をかたどったものとしその高さを８ｍｍとした。この識別体（仕切り部）２を、食器皿４の左右方向の略中央部に形成し惣菜を収容する収容部を２分した。又、材質は陶器で作製した。
識別体２は、食材を仕分ける高さのある数字やアルファベットにより形成されており上に２品目以上の食材・食品を盛り付けて食事する。
なお、この食器皿４の材質は、陶器の他、プラスチック、木材などで作っても良い。また、この食器皿４の使用方法として、識別体２は、数字やアルファベットなど適当な種類の記号とし、多人数で食事する際に各人が好みの食材を選ぶときに、その記号を指定するような使い方も出来る。この記号は、数字やアルファベットの形状となっているために食材を皿上からとる際に、壁となりフォーク、スプーン等で取り上げやすくもなる。
【産業上の利用可能性】
【０００９】
家庭の食卓の場において、またカフェやレストランなどの飲食店の場において、さらには学校給食や職場でのランチプレートとして幅広く活用ができ、新しい観点で料理を配置することは、新しい料理を生み出す可能性があり、食器生産産業、飲食業、また学校や職場で活用することによる、産業全体の活性化に利用できます。
【符号の説明】
【００１０】
１、底面    
２、識別体（仕切り部）    
３、淵
４、食器皿
【図１】
0003171264.tif 000003
【図２】
0003171264.tif 000004
【図３】
0003171264.tif 000005
【図４】
0003171264.tif 000006
(57)【要約】      （修正有）【課題】公園、遊園地等の歩道、広場を有効利用し歩く人、見る人、一人一人が主役の階段を使った合体モニメントを提供する。【解決手段】広場、歩道等にＶ字型の穴を堀り、下りと上りの階段を付ける、その階段を人に歩いてもらう。エスカレーターで地階におりて行く、地階からも地上に上がって来る様に見える、想像的モニメントである。観覧場所を作ると、より一層良い。【選択図】図１
0003171144.tif 000002
【実用新案登録請求の範囲】
【請求項１】
道路にＶ字型に穴を堀る、下りと上りの階段を付ける、その階段を人に歩いてもらう、エスカレーターで地階におりて行く、地階からも地上に、上がって来る様に見える、想像的モニメントである。
【考案の詳細な説明】
【技術分野】Ｖ字型に穴を堀り、角度に応じて階段を付ける。
【背景技術】くだりと、のぼりの階段の角度が同じ事が基本だが違っても十分活用出来る。
【考案の概要】
遊園地等で、遊具に乗る時、待ち時間６０分９０分が普通、移動する時、暑い日、寒い日、雨の日の辛い時歩いている人も、まわりの人も楽しめ空地や広場も有効利用出来る。
【考案が解決しようとする課題】公園、遊園地等の歩道、広場を歩く人、まわりの人  一人一人が主役の階段を使った合体モニメント。
【課題を解決しようとする手段】
広場、歩道等にＶ字型の穴を堀り、そこに階段を付けるエスカレーターの、くだりと、のぼりを連想するモニメントにしようとする手段、観覧場所を作ると最高に良い。
【考案の効果】
地下鉄の入口、出口の様に見えるが、遊び心を入れ歩道、空地等に一方通行の階段を作る事により、いかにも、百貨店でのエスカレーターでの上下を想像させる。
【図面の簡単な説明】
【図１】第一図は断面図  左から右への一方通行  Ｂ〜Ｃを結ぶ下、地下
【図２】第二図は上からの正面図  左から右への一方通行
【考案を実施するための形態】
図面Ｂ・Ｃの長さは、設置場所、条件により自由だが深さがあり階段が急の場合、踏みはずす心配があるので、急でなく、深過ぎず、ＢＣは長い方がスケールが大きく、階段も、なだらかで良い。
【実施例】１  図面第一図のＢからＣの下は、地下である為、当然見えない、エスカレーターが下に、おりて行っているように見える、図面第一図中央Ａから今度のぼって行くのでここでエスカレーターが交差しているように見える。
一列の場合と複数列の時が有るが複数列は入口を左右交互にすると良い。
２  小規模の場合図面第一図で見るとＡＡ′Ａ″の人の頭が見えなければ、エスカレーター交差の感じは、十分に得られる、大規模になると、もっと見えない人が多くなるがそれもスケールが大きく、すごく良い。
【産業上の利用可能性】１  この考案は遊園地、公園、駅前広場、道の駅、学校博物館、工場等、人の集まる所、その場に居る人全員楽しめるモニメントである。
２  歩道の両側に花壇か花の鉢等を並べると更に良い
３  手前に少し高く観覧場所を作ると良い
４  階段を歩く人、前後の歩道を歩く人は、立ち止まらず歩いてもらう事が最も重要、階段の巾の広さに応じて、何人か並んで歩いても良い。
【図１】
0003171144.tif 000003
【図２】
0003171144.tif 000004
【手続補正書】
【提出日】平成23年8月1日(2011.8.1)
【手続補正１】
【補正対象書類名】実用新案登録請求の範囲
【補正対象項目名】全文
【補正方法】変更
【補正の内容】
【実用新案登録請求の範囲】
【請求項１】
道路にＶ字型に穴を掘り、下りと上りの階段を付けたモニメントであって、その階段を人に歩いて、もらうと、エスカレーターで地階に、おりて行き、地階からも、地上に上がって来る様に見える、想像的モニメント。
(57)【要約】      （修正有）【課題】パソコンＣＰＵの温度を下げファンの唸り音を静音にするヒートシンクを提供する。【解決手段】ＣＰＵを冷やすヒートシンクのＣＰＵとの接触部分の銅部分又はアルミの中心部にファンの風力を多く送る縦穴貫通を開け内部底辺部近くに前後左右に十字型の横穴トンネルを作り銅部分又はアルミの中心部の縦穴から風力に依り内部の熱を横穴トンネルから四方に排出し効率良くクーラーの中心内部と外部の両方から冷やす。【選択図】図１
0003171141.tif 000002
【実用新案登録請求の範囲】
【請求項１】
パソコンのＣＰＵ冷却の為のクーラーのヒートシンクの中心内部に通風穴を縦と横に開けたもの
【請求項２】
ヒートシンクの中心穴からＣＰＵに直接ファンの風を当てる穴を設けたヒートシンク
【考案の詳細な説明】
【技術分野】
【０００１】デスクトップパソコンの心臓部であるＣＰＵクーラーのヒートシンク芯部分に関するもの。
【背景技術】
【０００２】現在のデスクトップパソコンのヒートシンクは全てアルミの薄い板状か棒状の放熱部にファンの風を当て放熱部から冷却してＣＰＵの熱を取る仕組みの製品が多く使用されている為パソコンによりＣＰＵの温度が急上昇し其れを冷やす為クーラーファンが唸り音を発生する場合がある
【先行技術文献】
【特許文献】
【０００３】
【特許文献１】
【非特許文献】
【０００４】
【非特許文献１】
【考案の概要】
【考案が解決しようとする課題】
【０００５】パソコンのＣＰＵの温度を下げファンの唸り音を静音にする為ヒートシンクの形状等を工夫しファンの風を送りＣＰＵの温度をいかに効率よく冷却出来るかを目的にいろいろ試行錯誤し次項の縦穴と横穴トンネル付きヒートシンクを考案した。
【課題を解決するための手段】
【０００６】パソコンのＣＰＵの温度を下げれば必然的にファンも静かに成る為クーラーのヒートシンク銅部分又はアルミの中心部に縦穴上下貫通−内部底辺部に−前後−西右に十字型に横穴トンネルを開けファンの風力を縦穴からＣＰＵに直接当てヒートシンク内部の熱を横穴トンネルから四方に排出し効率良くヒートシンクの中心部と外部から温度を下げる為考案した結果唸り音が全くなくなった。
【考案の効果】
【０００７】パソコンのＣＰＵの温度が下がりパソコン内部も温度が下がりファンが非常に静音になった当初は夏で室温が２５度が３８度から４０度以上になった現在は室温より上がっても＋５度から８度位にて唸り音は全く無く静音になったこの一番の効果は縦穴を貫通しＣＰＵに直接風を送り横穴トンネルから熱を排出したのが効果を発揮した。
［この温度はパソコン内部の排熱風の近くに温度計を設置して目安温度として計測した温度］
【図面の簡単な説明】
【０００８】
【図１】本考案のヒートとシンク中心部の斜視図
【図２】内部穴の縦断面図−４面共通
【図３】平面図上，下−共通
【図４】一般的の放熱部を使用した場合の穴の縦断面図−４面共通
【考案を実施するための最良の形態】
【０００９】ＣＰＵはどのパソコンも基盤上にヒートシンクが有りそれを冷却する為ヒートシンクの中心部内部の熱を素早く排出する為にファンの風を多く吸い込む大きめの穴を銅又はアルミの中心に縦穴を貫通し開けＣＰＵ表面の熱を内部底辺部の十字型にあけた横穴トンネルから外部に四方に排出する仕組みのヒートシンク。
【実施例】
【００１０】最初はヒートシンクに横穴を開けアルミパイプを差し込み水を流しても真夏の為か全く温度も変わらず次はクール剤を流しても効果なく毎晩考え抜いた末矢張り空気を送った方が良い事が分り思い切ってヒートシンクの銅部に縦穴を開けたこれで縦横が繋がってだいぶ静かに成り穴が役立つ事が分り恐る恐るもう一本横穴を十字型に開け完全に静かに成って室温より＋５度から８度位に治まっている何より唸り音が全くなく静音になった。
【産業上の利用の可能性】
【００１１】インターネットで検索すると夏場熱暴走するパソコンに困っている人が多い事が分り何れメーカ−でも特別コストが掛からない為利用する可能性が有る。
【符号の説明】
【００１２】１‐銅部材−Ｃ―  Ｃ”−切断部を表す
２−縦通風穴  ３−横穴トンネル  ４−放熱部
【図１】
0003171141.tif 000003
【図２】
0003171141.tif 000004
【図３】
0003171141.tif 000005
【図４】
0003171141.tif 000006
【手続補正書】
【提出日】平成23年5月30日(2011.5.30)
【手続補正１】
【補正対象書類名】実用新案登録請求の範囲
【補正対象項目名】全文
【補正方法】変更
【補正の内容】
【実用新案登録請求の範囲】
【請求項１】
パソコンのＣＰＵ冷却の為のＣＰＵクーラーのヒートシンクの中心内部に通風穴を縦穴と横穴を設けたＣＰＵクーラーのヒートシンク
【請求項２】
ＣＰＵクーラーのヒートシンクの中心内部の縦穴からＣＰＵの表面にファンの風を直接当てるＣＰＵクーラーのヒートシンク
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
パソコンのＣＰＵ冷却の為のクーラーのヒートシンクの中心内部に通風用の穴として縦穴と横穴を設けたＣＰＵクーラーのヒートシンク
(57)【要約】      （修正有）【課題】バルブの開閉状態の間違いや勘違い、見落としを確実に防止するバルブを提供する。【解決手段】開閉を９０度の回転で決定し、かつハンドル着脱式のバルブ２において、着脱式ハンドル３の着脱が、必要な角度、つまり必要な開閉状態のみで可能となるように、着脱位置指示カバー１を設ける。【選択図】図１
0003171179.tif 000002
【実用新案登録請求の範囲】
【請求項１】
開閉を９０度の回転で決定し、かつハンドル着脱式のバルブ２において、該着脱式ハンドル３の着脱が、必要な角度、つまり必要な開閉状態の位置のみで可能となるように、着脱位置指示カバー１を設けたバルブ。
【考案の詳細な説明】
【技術分野】
【０００１】
本考案は、配管に使用されるバルブ及びバルブ用カバーに関し、特に、開閉忘れを確実に防止することができるバルブ及びバルブ用カバーに関する。
【背景技術】
【０００２】
工業用に使用される配管では、手動の開閉バルブのみを備える配管や、供給側に常時開や常時閉の手動バルブを設け、その先に電磁弁などを配して、必要に応じた供給を行う配管が多く使用されている。この手動バルブは、連続使用中に操作されることはほとんどなく、使用条件変更時や、設備保全時に開閉されることが多い。
【０００３】
設備によっては、このような配管を非常に多数有している場合があり、設備保全後の確認が煩雑で、見落としや勘違いなどにより、開閉状態を間違えた場合、供給過多や供給不良の原因となり、供給している物質によっては、環境事故などの大事に至る場合がある。
【０００４】
この対策として、配管現地への、常時開や常時閉の札かけや、バルブの外から開閉状態が確認できるバルブの考案（例えば特許文献１）など、いわゆる見える化による対策が検討されている。
【先行技術文献】
【特許文献】
【０００５】
【特許文献１】実用新案登録第３０６９３５２号
【考案の概要】
【考案が解決しようとする課題】
【０００６】
解決しようとする問題点は、見落としや勘違いなど、バルブ開閉操作時の間違い防止であり、本考案は当該課題を好適に解決するものである。
【課題を解決するための手段】
【０００７】
開閉を９０度の回転で決定し、かつハンドル着脱式のバルブにおいて、該着脱式ハンドルの着脱が、必要な角度、つまり必要な開閉状態の位置のみで可能となるように、着脱位置指示カバーを設けていることを主要な特徴とする。
【０００８】
この着脱式ハンドルを、例えば常にオペレーターの目の届く操作室などに保管する。
【考案の効果】
【０００９】
バルブにおいて、着脱式のハンドルが外れている場合は、その開閉状態を確認することなく、必要な開閉状態になっているため、目視確認による勘違いや見落としを防止できる。
【００１０】
さらに、ハンドルが所定の位置に保管されているときは、バルブの開閉状態も正常な状態であると判断でき、現地確認に行く必要がない。
【００１１】
設置済のバルブに、着脱位置指示カバーのみを追設して、同様の効果を得ることも可能である。
【図面の簡単な説明】
【００１２】
【図１】本考案の一実施例の概略斜視図である。
【図２】閉状態でハンドルが外れる場合の正面図（イ）及び側面図（ロ）である。
【図３】開状態でハンドルが外れない場合の正面図（イ）及び側面図（ロ）である。
【考案を実施するための最良の形態】
【００１３】
通常は一定状態で使用し、設備保全など、非定常時のみバルブを操作する必要のある配管に設置し、ハンドル管理を行うことにより、バルブの開閉状態を管理する。
【００１４】
図面は、常時閉で使用する場合のバルブであって、常時開で使用するバルブの場合は、ハンドル着脱位置指示カバーを９０度回転したものを使用すればよい。
【符号の説明】
【００１５】
１      ハンドル着脱位置指示カバー
２      バルブ
２ａ  バルブ頭部（着脱式ハンドル取付け部）
３      着脱式ハンドル
４      配管
【図１】
0003171179.tif 000003
【図２】
0003171179.tif 000004
【図３】
0003171179.tif 000005
(57)【要約】      （修正有）【課題】室内において人とペットの居住空間と切り離し、自由自在に加工ができ、購入コストが安価で、リサイクルが可能であり、猫の習性に沿った立体的な居住空間を形成することができるペット用遊戯具を提供する。【解決手段】ダンボール素材からなる少なくとも２種類の直方体の中空箱体の側面に開口部を設け、別の中空箱体を挿入して連結する。【選択図】図１
0003171172.tif 000002
【実用新案登録請求の範囲】
【請求項１】
ダンボール素材において形成された少なくとも２種類の直方体等の中空箱体において、直方体等箱状の側面に設けた開口部に、もう一方の直方体等の中空箱体を挿入連結したことを特徴とするペット用遊戯具。
【考案の詳細な説明】
【技術分野】
【０００１】  本考案は、屋内おいて使用する小動物用のペット用遊戯具に関する。
【背景技術】
【０００２】  最近、小動物例えば猫を、ペットとして室内において飼う家庭が多くなってきており、室内において生活する猫にとっては、人とペットの居住空間と切り離し、ストレス無く、安心して居住できる、閉塞されたより高い位置の空間を提供することが必要不可欠である。【０００３】  また、猫は習性として狭いところ、高いところを好む傾向があり、猫を飼うためには室内においても、上下左右立体的に行動できる遊戯具、家具の配置が必要不可欠である。【０００４】  また、屋内で飼われている猫用玩具として、木製、プラスチック製の猫タワー、寝床等が一般的に販売されている。
【考案の開示】
【考案が解決しようとする課題】
【０００５】  以上に述べたように、室内において人とペットの居住空間と切り離したより高い位置の閉塞された居住空間を提供するということは、猫がストレス無く、安心して居住できることとなり、猫をペットとして飼う上で必要不可欠なことである。【０００６】  さらに、従来の猫用ペットハウスは、床に設置する平面的な物であり、また立体的な構造になっている猫タワーは、安定感がなく、形状が固定化され、価格が高額であった。【０００７】  本考案は、このような従来の構造が有していた問題を解決しようとするものであり、ダンボールをもちいることで、自由自在に加工ができ、購入単価が安価、かつ、リサイクルが可能で、さらに複数の箱体を組み合わせる事によって増設でき、猫の習性に沿った立体的な居住空間を提供することを目的とする。
【課題を解決するための手段】
【０００８】  本考案は、上記目的を達成するために、ダンボール素材において形成した１つの直方体等の中空箱体１及び直方体等の中空箱体１の側面寸法より約１センチ程度一回り小さい寸法の直方体等の中空箱体２の少なくとも２種類のサイズの中空箱体により形成され、該箱体１の長手方向一面又は複数面に、直方体等の中空箱体１の側面サイズより約１センチ程度一回り小さい寸法の連結のための開口部３を設け、直方体等の中空箱体１の側面寸法より約１センチ程度一回り小さい寸法の直方体等の中空箱体２の側面を、垂直に挿入し連結固定する。【０００９】  上記考案において、連結固定した直方体等の中空箱体１及び２各面に、猫が上下左右出入りしたり、遊ぶための開口部４を適宜設けることで、猫にとって快適な空間を提供できるペット用遊戯具となる。
【考案を実施するための形態】
【００１０】  以下、本考案の実施の形態を図１〜図４にもとづいて説明する。
【００１１】  図１に示すように、本実施形態に係わるペット用遊戯具直方体等の中空箱体１の長手方向側面に、直方体等の中空箱体１の側面サイズより約１センチ程度一回り小さい寸法の開口部３を設ける。
【００１２】  さらに、直方体等の中空箱体１の側面寸法より約１センチ程度一回り小さい寸法の直方体等の中空箱体２の側面を、直方体等の中空箱体１に設けた開口部３に垂直に挿入し連結固定する。
【００１３】    なお、連結部位によっては、図２に示すようなＬ字状形、図３（ｂ）に示すような直方体等の中空箱体１及び２を上下に積み重さねる階段状等、本考案の目的及び効果を生じる範囲で必要に応じて、連結部を適宜変更して実施することも可能である。
【００１４】  本考案は、上記説明した考案の形態に限定されるものではなく、図４（ｃ）及び（ｄ）に示されるように、本考案の目的及び効果を生じる範囲で必要に応じて適宜変更して実施することが可能であり、例えば、直方体等の中空箱体１及び２を各複数用意し連結することで、居住空間をさらに増設することも可能である。
【考案の効果】
【００１５】  上述したように本考案のペット用遊戯具では、複数箱体を立体的に形成することで、階層を設けることができ、猫が気分を変えて上下左右立体的に行動でき、安心して過ごせる空間を提供できる。
【００１６】  また、少なくとも２種類以上の直方体等の中空箱体を組み合わせ連結することで、部屋の家具等との立体的な組み合わせにより、部屋空間に効率よく配置することができる。
【００１７】  また、２種類の直方体等の中空箱体を組み合わせることで、猫の上り下りに対し安定感があり、また直方体等の中空箱体下部にペットボトル等重しになる物を設置し、さらに安定させる事も可能である。
【００１８】  また、本考案の立体的形状のペット用遊戯具に設けた窓より猫を眺める又はじゃらす等により飼い主が癒されることになる。
【００１９】  さらに、ダンボール素材を利用することで、自由自在に加工することができ、かつ、材料コストを安価に抑え、また不要になればリサイクルができ、環境への配慮がなされる。
【図面の簡単な説明】
【００２０】
【図１】  本考案に係わる実施形態を示す斜視図
【図２】  本考案に係わる実施形態を示す斜視図
【図３】  本考案に係わる実施形態を示す斜視図
【図４】  本考案に係わる実施形態を示す斜視図
【符号の説明】
【００２１】    １    直方体等の中空箱体
２    直方体等の中空箱体
３    直方体１及び２連結部のための開口部
４    直方体等の中空箱体各面開口部
【図１】
0003171172.tif 000003
【図２】
0003171172.tif 000004
【図３】
0003171172.tif 000005
【図４】
0003171172.tif 000006
(57)【要約】【課題】  帽子・バイザーのつばの大きさに関わらず、機能を劣化させることなく、洗濯や持ち運びを容易にすること。【解決手段】  つば部に、曲げに対して弾性を有するワイヤーをつばの張りを保持するようにレイアウトし、これをつば部に装着して一体化させることで、つばの形状を安定させる。また、洗濯や持ち運び時の形状の変化に対し、ワイヤーが復元力を保持することから、機能を損なうことなく、使用することが可能である。【選択図】  図１
0003171192.tif 000002
【実用新案登録請求の範囲】
【請求項１】
帽子又はバイザーのつば部構造であって、
前記つば部はやわらかい布からなり、且つ、
前記つば部に対して、弾性を有するワイヤーが装着され、
当該ワイヤーは、
つば部左側で環状配置されると共に当該つば部の内側に沿って配置され且つ左端で湾曲して折り返して当該つば部の外側に沿うように配置され、
更に当該つば部の外側の前部分では当該ワイヤーが一本通るように配置され、
つば部右側でも同様に、当該つば部の外側に沿うように配置され且つ右端で湾曲して折り返されて当該つば部の内側に沿って配置されると共に当該つば部右側で環状配置されている
ことを特徴とするつば部構造。
【考案の詳細な説明】
【技術分野】
【０００１】
本考案は、曲げに対して弾性を保持するワイヤーをつば部に装着することで、つば部面積が大きくなっても、その張りを保ちつつ、洗濯によるつば部のへたりの回避、及び、折り畳むことを可能にしたつば部を持つ帽子、バイザーに関するものである。
【背景技術】
【０００２】
従来のサンバイザー型帽子は、つば部が大きくなると、その強度を維持するために硬度を高める結果収納性に問題のあるもの、形状を維持するために洗濯が困難であるもの、逆に、つばの形状を自由に変形させるが、その復元力を有しないもの等であった。
【先行技術文献】
【特許文献】
【０００３】
【特許文献１】特願２００４−９０５３９号
【特許文献２】特願２００２−１５６６９８号
【特許文献３】特願２００１−９２９２１号
【考案の概要】
【考案が解決しようとする課題】
【０００４】
そのために、つばの形状を保持するために洗濯が不可能であったり、洗濯時の手間がかかるもの、逆に、帽子のつばの形状を変形できる代わりに、復元しにくいもの、収納時にかさばるものも多かった。
【課題を解決するための手段】
【０００５】
曲げに対して弾性を有するワイヤーをつば部に装着することで、つば部の面積が大きくなっても、ワイヤーの弾性力により、つば部がへたることが無く、折り畳むことが可能にも関わらず、その復元力も有する。
【０００６】
上記観点に基づき、本考案のつば部構造は、帽子又はバイザーのつば部構造であって、前記つば部はやわらかい布からなり、且つ、前記つば部に対して、弾性を有するワイヤーが装着され、当該ワイヤーは、つば部左側で環状配置されると共に当該つば部の内側に沿って配置され且つ左端で湾曲して折り返して当該つば部の外側に沿うように配置され、更に当該つば部の外側の前部分では当該ワイヤーが一本通るように配置され、つば部右側でも同様に、当該つば部の外側に沿うように配置され且つ右端で湾曲して折り返されて当該つば部の内側に沿って配置されると共に当該つば部右側で環状配置されていることを特徴とする。
【考案の効果】
【０００７】
曲げに対して弾性を有するワイヤーをつば部に装着するので、つば部の仕様がやわらかい布等であっても、張りのあるつばの形状を維持できる。その結果、デザイン性の向上だけでなく、折り畳みが可能だが復元力を有し、洗濯機の使用でも型崩れせず、つば部の軽量化にもつながる。
【図面の簡単な説明】
【０００８】
【図１】本考案通常使用時における斜視図
【図２】本考案のつば部に装着するワイヤーレイアウトの一例を示す平面図
【図３】本考案の袋状つば部に形状化したワイヤーを挿入する図
【考案を実施するための形態】
【０００９】
以下、本考案の実施の形態を説明する。
（イ）ワイヤー（３）を装着したつば部（１）、それに連結された帽子本体部（２）またはバイザー本体部（４）で構成する。
【００１０】
（ロ）つば部（１）には、図２に示すように弾性を有するワイヤー（３）を装着する。ここでは、その一例として、ワイヤー装着のレイアウトの様子が示されている。ワイヤー（３）とつば部（１）素材を縫製、接着剤等で一体化、または図３のように、袋状のつば部内部に形状化したワイヤーを挿入することにより、つば本体が弾性と張りを持つに至り、それを保持することが容易になる。
【００１１】
以上のような構成で、これを実際に使用する時には、ワイヤーの曲げレイアウト例が図２に示されているが、ワイヤーの曲げレイアウトは、つばの大きさや素材等により、目的を達するものであれば、レイアウトは自由で、組み合わせることも可能である。
【００１２】
図１に示す、本体部は、帽子、バイザーの形状により、頭全体を覆うものであったり、帯状のものでつば部（２）を頭部に装着するものであったり、その形状は自由である。本考案の折りたたみ用の留部を設けても良い。
【符号の説明】
【００１３】
１ つば部
２ 帽子本体部
３ ワイヤー
４ 帽子縫い目
５ バイザー本体部
６ バイザー留め部
７ つば部縫い代
【図１】
0003171192.tif 000003
【図２】
0003171192.tif 000004
【図３】
0003171192.tif 000005
(57)【要約】      （修正有）【課題】土面に対して、開いて差し込み、挟んで引き上げるという簡単な操作により、容易に野菜の苗を植えることができるようになる穴堀器を提供する。【解決手段】ハサミの先端に該ハサミと直交するようにパイプの端部を取り付けて、該パイプが該ハサミの先端から該ハサミと直交方向に延伸させて該穴堀器を構成する。使用に当たっては、上記のハサミを開いた状態で苗床の表面から土中に該パイプを差し込んで土を挟んだ状態で該パイプを引き上げて、野菜の苗を植えるための穴を開ける事が出来る。【選択図】図１
0003171140.tif 000002
【実用新案登録請求の範囲】
【請求項１】
苗床（マルチ）に苗を植える際に苗床に穴堀器を差し込んで簡単に土を挟んで穴を開ける構造を有している
【請求項２】
野菜に追肥をする際に穴の深さを穴堀器の刺す深さで追肥の深さを決められる事が出来る構造を有している
【請求項３】
野菜の植え付けの深さを穴堀器深さで自由に調整できる構造を有している。
【請求項４】
穴掘器の先端は半円形状のパイプ（角の半分等も含む）構造を有していてマルチの穴に容易にあわせて穴を掘る事が出来る。
【考案の詳細な説明】
【技術分野】
【０００１】農業分野
【背景技術】
【０００２】野菜苗をマルチ等に植える際に現在はシベルで穴を掘っている。
【考案の概要】
【考案が解決しようとする課題】
【０００２】野菜苗をマルチに植える際現在はシベルで穴を掘っている、この穴堀が簡単に効率よく穴が掘れないか。
【課題を解決するための手段】
【０００３】マルチの穴に合った穴を簡単にしかも回りに影響を与えない方法で穴を開け、開けた穴に苗を植えることが出来る穴堀器
【考案の効果】
【０００４】マルチの穴に穴堀器具を開いて土面に差し込んで挟んで引き上げるだけで、簡単に穴が開けられる、作業の効率化が図れる。
【図面の簡単な説明】
【０００５】
【図１】穴堀器のハサミの先端に左右半円形のパイプを有し、開いた状態でマルチに差し込む。
【図２】穴堀器を閉じて土を挟んだ状態で穴掘器を上げ穴を開ける事を表す図。
【図１】
0003171140.tif 000003
【図２】
0003171140.tif 000004
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
ハサミの先端に左右半円形状の長さを持つパイプ（角の半分も含む）を有し、開いた状態でマルチに差し込んで土を挟んで穴を開ける事が出来る、構造を有していることを特徴とする穴掘器。
【手続補正２】
【補正対象書類名】明細書
【補正対象項目名】０００４
【補正方法】変更
【補正の内容】
【０００４】１  マルチの穴に穴掘器具を開いて土面に差し込んで挟んで引き上げるだけで簡単に穴を開けられる、作業の効率化が図れる穴掘器。
２  野菜の根の深い作物の追肥は穴掘器の深さで深い位置に追肥が出来る穴掘器。
３  野菜の植え付けの際深さを穴掘器の差し込む深さで自由に調整できる穴掘器。
【手続補正３】
【補正対象書類名】明細書
【補正対象項目名】０００５
【補正方法】変更
【補正の内容】
【０００５】
【図１】１  左側半円形状のパイプ。２  右側半円形状のパイプ。３  クロスしたハサミの支点。４  左側レバー。５  右側レバー。
【図２】１  土を挟んだ状態を表す穴掘器。
【手続補正４】
【補正対象書類名】図面
【補正対象項目名】全図
【補正方法】変更
【補正の内容】
【図１】
0003171140.tif 000005
【図２】
0003171140.tif 000006
【手続補正書】
【提出日】平成23年8月1日(2011.8.1)
【手続補正１】
【補正対象書類名】実用新案登録請求の範囲
【補正対象項目名】全文
【補正方法】変更
【補正の内容】
【実用新案登録請求の範囲】
【請求項１】
ハサミの先端に該ハサミと直交するようにパイプの端部を取り付けて、該パイプが該ハサミの先端から該ハサミと直交方向に延びている、開いた状態でマルチに差し込んで土を挟んで穴を開ける事が出来る、構造を有していることを特徴とする穴掘器。
【手続補正２】
【補正対象書類名】明細書
【補正対象項目名】０００４
【補正方法】変更
【補正の内容】
【０００４】１  マルチの穴に穴掘器具を開いて土面に差し込んで挟んで引き上げるだけで簡単に穴を開けられる、作業の効率化が図れる穴掘器。
２  野菜の根の深い作物の追肥は穴掘器の深さで深い位置に追肥が出来る穴掘器。
３  野菜の植え付けの際深さを穴掘器の差し込む深さで自由に調整できる穴掘器。
【手続補正３】
【補正対象書類名】明細書
【補正対象項目名】０００５
【補正方法】変更
【補正の内容】
【０００５】
【図１】１  左側半円形状のパイプ。２  右側半円形状のパイプ。３  クロスしたハサミの支点。４  ハサミの左側レバー。５  ハサミの右側レバー。
【図２】１  土を挟んだ状態を表す穴掘器。
【手続補正４】
【補正対象書類名】図面
【補正対象項目名】全図
【補正方法】変更
【補正の内容】
【図１】
0003171140.tif 000007
【図２】
0003171140.tif 000008